(57)【要約】【課題】リンクが設定されていないデータを選択されたときも、選択されたデータに関連する情報を参照させることができるデータ参照装置を提供すること。【解決手段】リンク情報管理手段１３は、データ入力手段１１により選択入力された表示データにリンク情報が設定されていない場合、または管理しているリンク情報が設定されている表示データに入力されたテキストデータと一致するものがない場合、選択入力された表示データに対応するテキストデータ、または入力されたテキストデータをデータ変換手段１４により変換して、変換結果を解析し、変換したデータの中にリンク情報が設定されていればその表示データとリンク先のアドレス（格納場所と名前）を関連付けて管理し、データ出力手段１２に変換したデータを出力する。【選択図】　　　図１
2004086577.tif 000002
【特許請求の範囲】
【請求項１】
参照するデータを出力するデータ出力手段と、参照するデータまたは前記データ出力手段に出力したデータの一部を指定する指定データを入力するデータ入力手段と、前記データ入力手段に入力された指定データに基づきデータを取得し、取得したデータに設定されているリンク情報を管理するとともに前記出力手段に出力するリンク情報管理手段と、入力されたデータを予め設定されたデータに変換するデータ変換手段とを備え、前記リンク情報管理手段は、前記指定データが前記データ出力手段に出力したデータの一部を指定したデータであり、かつ前記指定データに前記リンク情報が設定されていないとき、前記データ変換手段で前記指定データを変換して前記データ出力手段に出力することを特徴とするデータ参照装置。
【請求項２】
入力されたデータを指定された言語に翻訳する翻訳手段を備え、前記リンク情報管理手段は、前記指定データが前記データ出力手段に出力したデータの一部を入力したデータであり、かつ前記指定データの言語が前記データ出力手段に出力したデータの言語と異なると判断したとき、前記翻訳手段で前記指定データの言語を翻訳し、翻訳した結果に基づいて前記リンク情報の設定の有無を判定することを特徴とする請求項１に記載のデータ参照装置。
【請求項３】
異なる種別のデータを扱う複数のデータ出力手段を備え、前記リンク情報管理手段は、取得したデータの種別に適した前記出力手段を選択して出力することを特徴とする請求項１に記載のデータ参照装置。
【請求項４】
テキストデータの入力及び出力データの選択入力を行なう第１のデータ入力手段と、テキストデータ以外のデータの入力を行なう第２のデータ入力手段と、前記第２のデータ入力手段に入力されたデータをテキストデータに変換するテキスト変換手段とを備え、前記リンク情報管理手段は、前記テキスト変換手段の出力に基づいて前記リンク情報の設定の有無を判定することを特徴とする請求項１に記載のデータ参照装置。
【請求項５】
参照するデータを出力するデータ出力手段と、参照するデータまたは前記データ出力手段に出力したデータの一部を指定する指定データを入力するデータ入力手段と、前記データ入力手段に入力された指定データに基づきデータを取得し、取得したデータに設定されているリンク情報を管理するとともに前記出力手段に出力するリンク情報管理手段と、入力されたデータを検索キーとして予め設定されたデータ蓄積装置内を検索し検索結果の１つを選択して出力する検索手段とを備え、前記リンク情報管理手段は、前記指定データが前記データ出力手段に出力したデータの一部を指定したデータであり、かつ前記指定データに前記リンク情報が設定されていないとき、前記検索手段で前記指定データを検索キーに検索を行い、結果出力のデータを取得して前記データ出力手段に出力することを特徴とするデータ参照装置。
【請求項６】
前記リンク情報管理手段は、前記リンク情報が設定されているデータは他のデータと出力形式を変えて出力することを特徴とする請求項１から請求項５のいずれかに記載のデータ参照装置。
【請求項７】
前記リンク情報管理手段は、前記リンク情報が設定されているデータと他のデータを同じ出力形式で出力することを特徴とする請求項１から請求項５のいずれかに記載のデータ参照装置。
【発明の詳細な説明】
【０００１】
【発明の属する技術分野】
本発明は、ネットワークなどを介してデータ蓄積装置に蓄積されているＨＴＭＬ（Ｈｙｐｅｒ　Ｔｅｘｔ　Ｍａｒｋｕｐ　Ｌａｎｇｕａｇｅ）などで記述されたデータの参照を行なうデータ参照装置に関する。
【０００２】
【従来の技術】
従来、この種のデータ参照装置は、テキストデータや画像データをデータ蓄積装置から取得して表示出力するようになっており、ＨＴＭＬなどで記述されたデータを取得すると、そのデータに基づいてテキストや画像を配置して表示するようになっている。
【０００３】
ＨＴＭＬでは、表示するテキストや画像に他のデータへのリンク（参照情報）を設定できるようになっており、リンクが設定されているテキストは他のテキストと形式を変えて表示されリンクが設定されていることが分かるようになっており、その表示されているテキストがマウスポインタなどで選択されると、リンクされているデータを取得して表示するようになっている。
【０００４】
【発明が解決しようとする課題】
しかし、このような従来のデータ参照装置では、リンクが設定されていないテキストや画像を選択してもなにも参照することはできなかった。
【０００５】
本発明はこのような問題を解決するためになされたもので、リンクが設定されていないデータを選択されたときも、選択されたデータに関連する情報を参照させることができるデータ参照装置を提供するものである。
【０００６】
【課題を解決するための手段】
本発明のデータ参照装置は、参照するデータを出力するデータ出力手段と、参照するデータまたは前記データ出力手段に出力したデータの一部を指定する指定データを入力するデータ入力手段と、前記データ入力手段に入力された指定データに基づきデータを取得し、取得したデータに設定されているリンク情報を管理するとともに前記出力手段に出力するリンク情報管理手段と、入力されたデータを予め設定されたデータに変換するデータ変換手段とを備え、前記リンク情報管理手段は、前記指定データが前記データ出力手段に出力したデータの一部を指定したデータであり、かつ前記指定データに前記リンク情報が設定されていないとき、前記データ変換手段で前記指定データを変換して前記データ出力手段に出力する構成を有している。
【０００７】
この構成により、リンク情報が設定されていない出力データの一部を指定してもデータが出力されることとなる。
【０００８】
ここで、入力されたデータを指定された言語に翻訳する翻訳手段を備え、前記リンク情報管理手段は、前記指定データが前記データ出力手段に出力したデータの一部を入力したデータであり、かつ前記指定データの言語が前記データ出力手段に出力したデータの言語と異なると判断したとき、前記翻訳手段で前記指定データの言語を翻訳し、翻訳した結果に基づいて前記リンク情報の設定の有無を判定する構成とした。
【０００９】
この構成により、出力されているデータと異なる言語でデータを入力しても出力されている言語に翻訳されてリンク情報の有無が判定されることとなる。
【００１０】
また、異なる種別のデータを扱う複数のデータ出力手段を備え、前記リンク情報管理手段は、取得したデータの種別に適した前記出力手段を選択して出力する構成とした。
【００１１】
この構成により、出力するデータの種別に適したデータ出力手段でデータが出力されることとなる。
【００１２】
また、テキストデータの入力及び出力データの選択入力を行なう第１のデータ入力手段と、テキストデータ以外のデータの入力を行なう第２のデータ入力手段と、前記第２のデータ入力手段に入力されたデータをテキストデータに変換するテキスト変換手段とを備え、前記リンク情報管理手段は、前記テキスト変換手段の出力に基づいて前記リンク情報の設定の有無を判定する構成とした。
【００１３】
この構成により、テキストデータ以外のデータで入力してもテキストデータに変換されてリンク情報の有無が判定されることとなる。
【００１４】
また、本発明のデータ参照装置は、参照するデータを出力するデータ出力手段と、参照するデータまたは前記データ出力手段に出力したデータの一部を指定する指定データを入力するデータ入力手段と、前記データ入力手段に入力された指定データに基づきデータを取得し、取得したデータに設定されているリンク情報を管理するとともに前記出力手段に出力するリンク情報管理手段と、入力されたデータを検索キーとして予め設定されたデータ蓄積装置内を検索し検索結果の１つを選択して出力する検索手段とを備え、前記リンク情報管理手段は、前記指定データが前記データ出力手段に出力したデータの一部を指定したデータであり、かつ前記指定データに前記リンク情報が設定されていないとき、前記検索手段で前記指定データを検索キーに検索を行い、結果出力のデータを取得して前記データ出力手段に出力する構成を有している。
【００１５】
この構成により、リンク情報が設定されていない出力データの一部を指定してもデータが出力されることとなる。
【００１６】
さらに、前記リンク情報管理手段は、前記リンク情報が設定されているデータは他のデータと出力形式を変えて出力する構成とした。この構成により、リンク情報が設定されているデータを判別することができる。
【００１７】
また、前記リンク情報管理手段は、前記リンク情報が設定されているデータと他のデータを同じ出力形式で出力する構成とした。この構成により、シームレスなインターフェースを提供して入力されたデータに対して結果を出力することができる。
【００１８】
【発明の実施の形態】
以下、本発明の実施の形態について、図面を参照して説明する。
【００１９】
（第１の実施の形態）
図１は本発明の第１の実施の形態のデータ参照装置を示すブロック図である。
【００２０】
図１に示すように、本実施の形態のデータ参照装置は、参照したいデータを指定するデータ入力手段１１と、取得したデータを出力するデータ出力手段１２と、データ出力手段１２へのデータの出力を制御し、出力するデータに設定されているリンク情報を管理するとともにデータ入力手段１１から入力されたデータにリンク情報が設定されているかを判定し、リンク情報が設定されていればリンクされているデータを取得するリンク情報管理手段１３と、データ入力手段１１から入力されたデータにリンク情報が設定されていない場合、入力されたデータを変換するデータ変換手段１４と、ネットワーク２００を介してデータ蓄積装置２１０にデータの送信要求を送るデータ送信手段１５と、ネットワーク２００を介してデータ蓄積装置２１０から送られてくるデータを受信するデータ受信手段１６とを備えている。
【００２１】
このようなデータ参照装置において、リンク情報管理手段１３は、データ入力手段１１から入力されたデータが参照するデータの格納場所および名前だと判断すると、入力されたデータを解析し、格納場所となるデータ蓄積装置２１０に入力された名前のデータの送信要求をデータ送信手段１５によりネットワーク２００を介して送信する。
【００２２】
データ蓄積装置２１０は、データ送信要求を受信すると、指定されたデータをデータ送信要求の送信元にネットワーク２００を介して送信する。
【００２３】
データ受信手段１６は、ネットワーク２００からデータを受信すると、リンク情報管理手段１３に受信したデータを渡す。
【００２４】
リンク情報管理手段１３は、データ受信手段１６から受信したデータを解析し、受信したデータの中にリンク情報が設定されていればその表示データとリンク先のアドレス（格納場所と名前）を関連付けて管理する。
【００２５】
また、受信したデータを表示するために必要なデータがあれば、データ送信手段１５によりデータ蓄積装置２１０にデータ送信要求を送信してデータを取得する。
【００２６】
受信したデータ（データ入力手段１１から入力された参照データ）を表示するために必要なデータを全て取得すると、リンク情報管理手段１３はデータ出力手段１２にリンク情報が設定されている部分は他のデータと異なった出力形式で（例えば、下線を付けて）受信したデータを出力する。
【００２７】
このようにしてデータ出力手段１２に出力されたデータの中から、ユーザはデータ入力手段１１により、例えば、表示データの中から選択入力したり、表示データをテキストデータとして入力したりして、参照したいデータを選択入力する。
【００２８】
リンク情報管理手段１３は、データ入力手段１１から入力されたデータが、表示データからの選択入力である場合、選択入力された表示データにリンク情報が設定されているかを判定し、リンク情報が設定されていれば管理されているリンク先のアドレスのデータ蓄積装置２１０にデータ送信手段１５によりネットワーク２００を介してデータ送信要求を送信する。
【００２９】
また、データ入力手段１１から入力されたデータが、表示データをテキストデータとして入力したものであると（参照するデータの格納場所と名称ではないと）判断した場合、管理しているリンク情報が設定されている表示データに入力されたテキストデータと一致するものがあるか判定し、一致するものがあれば対応するリンク先のアドレスのデータ蓄積装置２１０にデータ送信手段１５によりネットワーク２００を介してデータ送信要求を送信する。
【００３０】
データ受信手段１６から送信要求したデータを受けると、リンク情報管理手段１３は、上述と同様に、受信したデータを解析し、必要なデータを取得し、表示データとリンク先のアドレスを関連付けて管理し、データ出力手段１２に受信したデータを出力する。
【００３１】
選択入力された表示データにリンク情報が設定されていない場合、または管理しているリンク情報が設定されている表示データに入力されたテキストデータと一致するものがない場合、リンク情報管理手段１３は、選択入力された表示データに対応するテキストデータ、または入力されたテキストデータをデータ変換手段１４により変換して（例えば、辞書機能により入力された単語の意味に変換して）、変換結果を解析し、変換したデータの中にリンク情報が設定されていればその表示データとリンク先のアドレス（格納場所と名前）を関連付けて管理し、データ出力手段１２に変換したデータを出力する。
【００３２】
このように本実施の形態においては、データ入力手段１１から入力されたデータにリンク情報が設定されていなければ、データ変換手段１４により入力されたデータを変換して出力しているので、ユーザがリンク情報の設定されていないデータを入力してもデータ変換手段１４により変換したデータを出力することができる。
【００３３】
本実施の形態の他の態様としては、リンク情報管理手段１３においてデータ出力手段１２にデータを出力するときリンク情報が設定されているデータも他のデータと同じような表示形式で出力する。このように構成することによって、出力はリンク情報の有無を区別せずシームレスなインターフェースを提供して、リンク情報の有無に関わらず入力されたデータに対して結果を出力することができる。
【００３４】
なお、本実施の形態においては、ネットワークを介してデータ蓄積装置のデータを取得したが、これに限定されるものではなく、例えば、データ参照装置とデータ蓄積装置を直接接続してデータを取得できるようにしてもよい。
【００３５】
また、データ変換手段の変換機能として辞書機能を有する場合を示したが、これに限定されるものではなく、例えば、入力データをリンク情報に変換するようにしてもよい。
【００３６】
（第２の実施の形態）
図２は本発明の第２の実施の形態のデータ参照装置を示すブロック図である。なお、本実施の形態は、上述の第１の実施の形態と略同様に構成されているので、同様な構成には同一の符号を付して特徴部分のみ説明する。
【００３７】
図２において、本実施の形態のデータ参照装置は、入力されたデータを指定された言語に翻訳する翻訳手段２２を備えている。
【００３８】
リンク情報管理手段２１は、出力しているデータの言語を記憶しており、データ入力手段１１から入力されたデータが表示データをテキストデータとして入力したものであると判断し、入力されたテキストデータと出力中のデータの言語が一致しない場合、翻訳手段２２により入力されたテキストデータを出力中のデータの言語に翻訳し、管理しているリンク情報が設定されている表示データに翻訳したデータと一致するものがあるかを判定し、一致するものがあれば、上述の実施の形態と同様に、対応するリンク先のデータ蓄積装置２１０からデータを取得してデータ出力手段１２に出力し、一致するものがなければ、データ変換手段１４によりデータを変換してデータ出力手段１２に出力する。
【００３９】
このように本実施の形態においては、データ入力手段１１から入力されたテキストデータの言語がデータ出力手段１２に出力しているデータの言語に一致していなければ、入力されたテキストデータを翻訳手段２２により翻訳し、翻訳結果に一致するリンク情報が設定されている表示データがあるかどうかを判定しているので、データ出力手段１２に出力されたデータの言語がデータ入力手段１１により入力できない言語であっても、データ入力手段１１で入力不可能な言語で出力されたデータに対しても、リンク情報の有無に関わらず入力されたデータに対して結果を出力することができる。
【００４０】
本実施の形態の他の態様としては、リンク情報管理手段２１においてデータ出力手段１２にデータを出力するときリンク情報が設定されているデータも他のデータと同じような表示形式で出力する。このように構成することによって、出力はリンク情報の有無を区別せずシームレスなインターフェースを提供して、データ入力手段１１で入力不可能な言語で出力されたデータに対しても、リンク情報の有無に関わらず入力されたデータに対して結果を出力することができる。
【００４１】
（第３の実施の形態）
図３は本発明の第３の実施の形態のデータ参照装置を示すブロック図である。なお、本実施の形態は、上述の第１の実施の形態と略同様に構成されているので、同様な構成には同一の符号を付して特徴部分のみ説明する。
【００４２】
図３において、本実施の形態のデータ参照装置は、異なる種別のデータを扱う第１のデータ出力手段１２ａと第２のデータ出力手段１２ｂとを備えている。
【００４３】
リンク情報管理手段３１は、上述の実施の形態と同様にしてデータ蓄積装置２１０から取得したデータ、またはデータ変換手段１４で変換したデータの種別を判定し、データの種別に適したデータ出力手段で出力する。
【００４４】
例えば、第１のデータ出力手段１２ａがテキストデータを出力する表示出力手段で、第２のデータ出力手段１２ｂが音声データを出力する音声出力手段である場合、リンク情報管理手段３１は、データ蓄積装置２１０から取得したデータ、またはデータ変換手段１４で変換したデータがテキストデータを出力するデータであれば第１のデータ出力手段１２ａによりテキストデータを表示出力する。
【００４５】
また、データ蓄積装置２１０から取得したデータ、またはデータ変換手段１４で変換したデータが音声データを出力するデータであれば第２のデータ出力手段１２ｂにより音声データを音声出力する。
【００４６】
また、データ蓄積装置２１０から取得したデータ、またはデータ変換手段１４で変換したデータがテキストデータと音声データ両方を出力するデータであっても、第１のデータ出力手段１２ａ及び第２のデータ出力手段１２ｂの両方を使って、テキストデータと音声データを同時に出力することができる。
【００４７】
また、データ変換手段１４に音声合成機能を備えるようにすれば、データ入力手段１１から入力されたテキストデータを音声データに変換して第２のデータ出力手段１２ｂにより出力することができる。
【００４８】
このように本実施の形態においては、異なる種別のデータを扱うデータ出力手段を複数備え、取得したまたは変換したデータの種別に応じてデータの出力先を選択しているので、リンク情報の有無に関わらず入力されたデータに対して異なる種別の複数のデータを出力することができ、また、異なる種別の複数のデータを出力するように設定されたデータを出力することができる。
【００４９】
本実施の形態の他の態様としては、リンク情報管理手段３１においてデータ出力手段にデータを出力するときリンク情報が設定されているデータも他のデータと同じような出力形式で出力する。このように構成することによって、出力はリンク情報の有無を区別せずシームレスなインターフェースを提供して、リンク情報の有無に関わらず入力されたデータに対して異なる種別の複数のデータを出力することができ、また、異なる種別の複数のデータを出力するように設定されたデータを出力することができる。
【００５０】
（第４の実施の形態）
図４は本発明の第４の実施の形態のデータ参照装置を示すブロック図である。なお、本実施の形態は、上述の第１の実施の形態と略同様に構成されているので、同様な構成には同一の符号を付して特徴部分のみ説明する。
【００５１】
図４において、本実施の形態のデータ参照装置は、テキストデータの入力及び表示データの選択入力を行なう第１のデータ入力手段１１ａと、テキストデータ以外のデータの入力を行なう第２のデータ入力手段１１ｂとを備え、第２のデータ入力手段１１ｂに入力されたデータは、テキスト変換手段４２に入力され、テキストデータに変換されてリンク情報管理手段４１に入力されるようになっている。
【００５２】
リンク情報管理手段４１は、第１のデータ入力手段１１ａから入力されたデータが表示データをテキストデータとして入力したものであると判断した場合、またはテキスト変換手段４２からテキストデータが入力された場合、上述の実施の形態と同様にして、管理しているリンク情報が設定されている表示データに入力されたテキストデータと一致するものがあるかを判定し、一致するものがあれば、対応するリンク先のデータ蓄積装置２１０からデータを取得してデータ出力手段１２に出力し、一致するものがなければ、データ変換手段１４によりデータを変換してデータ出力手段１２に出力する。
【００５３】
例えば、第２のデータ入力手段１２ｂとして音声データを入力する音声入力手段を備え、テキスト変換手段４２に音声認識機能を備えるようにすれば、音声で入力したデータがテキストデータに変換され、変換されたテキストデータに基づいてリンク情報の有無が判定され、音声で入力したデータに設定されているリンク先のデータやデータ変換手段１４で変換されたデータを出力することができる。
【００５４】
このように本実施の形態においては、テキストデータ以外のデータを入力する第２のデータ入力手段１１ｂと、この第２のデータ入力手段１１ｂに入力されたデータをテキストデータに変換するテキスト変換手段４２を備え、テキストデータ以外のデータもテキストデータに変換し、変換したテキストデータに基づいて取得したまたは変換したデータを出力しているので、テキストデータ以外のデータ入力によっても、入力されたデータに対してリンク情報の有無に関わらず結果を出力することができる。
【００５５】
本実施の形態の他の態様としては、リンク情報管理手段４１においてデータ出力手段１２にデータを出力するときリンク情報が設定されているデータも他のデータと同じような出力形式で出力する。このように構成することによって、出力はリンク情報の有無を区別せずシームレスなインターフェースを提供して、テキストデータ以外のデータ入力によっても、入力されたデータに対してリンク情報の有無に関わらず結果を出力することができる。
【００５６】
（第５の実施の形態）
図５は本発明の第５の実施の形態のデータ参照装置を示すブロック図である。なお、本実施の形態は、上述の第１の実施の形態と略同様に構成されているので、同様な構成には同一の符号を付して特徴部分のみ説明する。
【００５７】
図５において、本実施の形態のデータ参照装置は、入力されたテキストデータをキーワードにデータ蓄積装置２１０内のデータを検索する要求を行い、検索結果のデータから１つのデータを選択し、選択したデータのリンク情報をリンク情報管理手段５１に出力する検索手段５２を備えている。
【００５８】
リンク情報管理手段５１は、データ入力手段１１から選択入力された表示データにリンク情報が設定されていない場合、またはデータ入力手段１１から入力されたデータが表示データをテキストデータとして入力したものであると判断し、管理しているリンク情報が設定されている表示データに入力されたテキストデータと一致するものがない場合、選択入力された表示データに対応するテキストデータ、または入力されたテキストデータにより検索手段５２に検索を要求する。
【００５９】
検索手段５２は、予め設定されたデータ蓄積装置２１０に入力されたテキストデータを検索キーとしてデータ蓄積装置２１０に検索要求をデータ送信手段１５によりネットワーク２００を介してデータ蓄積装置２１０に送信する。
【００６０】
データ蓄積装置２１０は、検索要求を受信すると、蓄積しているデータから、検索キーとなるテキストデータが含まれているものを検索し、検索キーとなるテキストデータを含むデータの一覧を検索結果として検索要求元へネットワーク２００を介して送信する。
【００６１】
データ受信手段１６は、データ蓄積装置２１０から検索結果のデータを受信すると、受信したデータを検索手段５２に渡す。
【００６２】
検索手段５２は、検索結果のデータを受けると、検索結果として複数のデータがある場合は、その中から１つを選択してリンク情報管理手段５１にその格納場所と名前を通知する。
【００６３】
リンク情報管理手段５１は、検索手段５２からデータの格納場所と名前を受けると、格納場所となるデータ蓄積装置２１０にデータの送信要求をデータ送信手段１５によりネットワーク２００を介して送信する。
【００６４】
データ受信手段１６から送信要求したデータを受けると、リンク情報管理手段１３は、上述の実施の形態と同様に、受信したデータを解析し、必要なデータを取得し、表示データとリンク先のアドレスを関連付けて管理し、データ出力手段１２に受信したデータを出力する。
【００６５】
このように本実施の形態においては、データ入力手段１１から入力されたデータにリンク情報が設定されていなければ、検索手段５２により入力されたデータを検索キーとしてデータ蓄積装置２１０を検索し、検索結果のデータを出力しているので、ユーザがリンク情報の設定されていないデータを入力しても検索手段５２により検索したデータを出力することができる。
【００６６】
本実施の形態の他の態様としては、リンク情報管理手段５１においてデータ出力手段１２にデータを出力するときリンク情報が設定されているデータも他のデータと同じような出力形式で出力する。このように構成することによって、出力はリンク情報の有無を区別せずシームレスなインターフェースを提供して、入力されたデータに対してリンク情報の有無に関わらず結果を出力することができる。
【００６７】
【発明の効果】
以上説明したように、本発明によれば、入力されたデータが前記データ出力手段に出力したデータの一部を指定したデータであり、かつそのデータにリンク情報が設定されていないとき、データ変換手段によりそのデータを変換して出力することにより、リンク情報が設定されていないデータを選択されても、選択されたデータに関連する情報を出力することができる。
【図面の簡単な説明】
【図１】本発明の第１の実施の形態のデータ参照装置を示すブロック図
【図２】本発明の第２の実施の形態のデータ参照装置を示すブロック図
【図３】本発明の第３の実施の形態のデータ参照装置を示すブロック図
【図４】本発明の第４の実施の形態のデータ参照装置を示すブロック図
【図５】本発明の第５の実施の形態のデータ参照装置を示すブロック図
【符号の説明】
１１　データ入力手段
１１ａ　　第１のデータ入力手段
１１ｂ　　第２のデータ入力手段
１２　データ出力手段
１２ａ　　第１のデータ出力手段
１２ｂ　　第２のデータ出力手段
１３　リンク情報管理手段
１４　データ変換手段
１５　データ送信手段
１６　データ受信手段
２１　リンク情報管理手段
２２　翻訳手段
３１　リンク情報管理手段
４１　リンク情報管理手段
４２　テキスト変換手段
５１　リンク情報管理手段
５２　検索手段
２００　　ネットワーク
２１０　　データ蓄積装置
【図１】
2004086577.tif 000003
【図２】
2004086577.tif 000004
【図３】
2004086577.tif 000005
【図４】
2004086577.tif 000006
【図５】
2004086577.tif 000007